【手続補正書】
【提出日】平成27年11月26日(2015.11.26)
【手続補正１】
【補正対象書類名】明細書
【補正対象項目名】０００７
【補正方法】変更
【補正の内容】
【０００７】
このとき、ユーザによる管理が不十分な場合、撮影記録後のカラーグレーディング装置の現像処理のパラメータと、撮影時の現像パラメータＡが異なってしまうこともあり得る。この場合、撮影時と、撮影記録後で同じカラーグレーディングのパラメータで処理したとしても撮影時の仮カラーグレーディング結果と一致する画像を、本カラーグレーディングにおいて得ることができないという課題が生じる。
【手続補正２】
【補正対象書類名】明細書
【補正対象項目名】０００９
【補正方法】変更
【補正の内容】
【０００９】
上記目的を達成するために、本発明の撮像装置は、撮影を行って画像データを出力する撮像手段と、前記画像データを画像処理する画像処理手段と、外部画像処理装置に、前記画像処理した画像データを出力する出力手段と、前記外部画像処理装置が前記画像データに対する予め決められた画像処理に用いた第１の処理情報を入力する入力手段と、前記第１の処理情報と、前記画像処理手段により前記画像処理された画像データ及び前記画像処理されていない画像データを基準の画像データに変換する処理に用いる第２の処理情報と、前記画像処理手段により前記画像処理された画像データ及び前記画像処理されていない画像データの少なくともいずれか一方とを、互いに関連づけて記録する記録手段とを有する。
【手続補正３】
【補正対象書類名】明細書
【補正対象項目名】００２２
【補正方法】変更
【補正の内容】
【００２２】
上記の基本動作以外に、システム制御部５０は、不揮発性メモリ１２３に記録されたプログラムを実行することで、後述する第１の実施形態の各処理を実現する。なお、不揮発性メモリ１２３は電気的に消去・記録可能であって、例えばＥＥＰＲＯＭ等が用いられる。また、ここでいうプログラムとは、第１の実施形態で後述する各種フローチャート及びシーケンス図の内容を実行するためのプログラムのことである。この際、システム制御部５０の動作用の定数、変数、不揮発性メモリ１２３から読み出したプログラム等をシステムメモリ１２５に展開する。
【手続補正４】
【補正対象書類名】明細書
【補正対象項目名】００４５
【補正方法】変更
【補正の内容】
【００４５】
Ｓ６１２では、仮カラーグレーディング装置３００のシステム制御部３５０は、通信部３２６を介して、生成した仮カラーグレーディングパラメータ（第１の処理情報、第２の処理情報）をカメラ１００に送信する。Ｓ６１３では、カメラ１００が撮影した画像データを記録媒体１１２に記録する。画像データの記録が完了すると、Ｓ６１４では、カメラ１００のシステム制御部５０は、受信した仮カラーグレーディングパラメータをメタデータ（付加情報）として、画像ファイルに記録する。
【手続補正５】
【補正対象書類名】明細書
【補正対象項目名】００６３
【補正方法】変更
【補正の内容】
【００６３】
Ｓ８０６では、接続されたモニタ２００の情報（表示規格）を取得する。Ｓ８０７では、接続されたモニタ２００の情報に基づきＯＤＴ処理パラメータを決定する。このＳ８０６、Ｓ８０７の処理内容は、仮カラーグレーディング装置３００で行う処理（図６のＳ６０８、Ｓ６０９）と同様である。
【手続補正６】
【補正対象書類名】明細書
【補正対象項目名】００９１
【補正方法】変更
【補正の内容】
【００９１】
次に、第３の実施形態におけるカメラ１００と仮カラーグレーディング装置３００との間の撮影時の通信シーケンスについて説明する。図１６は、第３の実施形態におけるカメラ１００と仮カラーグレーディング装置３００において、電源起動から撮影までの機器間の通信及び撮影処理の流れを示したシーケンス図である。図１６において、Ｓ６０１からＳ６０５までは、図６の同符号の処理と同じであるため詳細な説明は省略する。即ち、カメラ１００と、仮カラーグレーディング装置３００の間で通信を確立する。第３の実施形態では、カメラ１００においてＩＤＴ処理を行っているため、第１の実施形態のＳ６０６、Ｓ６０７に相当するＩＤＴ設定処理は行わない。
【手続補正７】
【補正対象書類名】特許請求の範囲
【補正対象項目名】全文
【補正方法】変更
【補正の内容】
【特許請求の範囲】
【請求項１】
撮影を行って画像データを出力する撮像手段と、
前記画像データを画像処理する画像処理手段と、
外部画像処理装置に、前記画像処理した画像データを出力する出力手段と、
前記外部画像処理装置が前記画像データに対する予め決められた画像処理に用いた第１の処理情報を入力する入力手段と、
前記第１の処理情報と、前記画像処理手段により前記画像処理された画像データ及び前記画像処理されていない画像データを基準の画像データに変換する処理に用いる第２の処理情報と、前記画像処理手段により前記画像処理された画像データ及び前記画像処理されていない画像データの少なくともいずれか一方とを、互いに関連づけて記録する記録手段と
を有することを特徴とする撮像装置。
【請求項２】
前記記録手段は、前記第１の処理情報と前記第２の処理情報を、前記画像データの付加情報として記録することを特徴とする請求項１に記載の撮像装置。
【請求項３】
前記第１の処理情報は、前記外部画像処理装置が前記画像データに対する前記予め決められた画像処理に用いたパラメータを記したファイルへのリンク情報であることを特徴とする請求項１または２に記載の撮像装置。
【請求項４】
前記第１の処理情報は、前記外部画像処理装置が前記画像データに対して行う前記予め決められた画像処理のプログラムであることを特徴とする請求項１または２に記載の撮像装置。
【請求項５】
前記第２の処理情報は、前記画像処理手段の特性を示す情報と、撮影時の光源の特性を示す情報であることを特徴とする請求項１乃至４のいずれか１項に記載の撮像装置。
【請求項６】
前記第２の処理情報は、前記外部画像処理装置が、前記基準の画像データに変換する処理に用いたパラメータを含むことを特徴とする請求項１乃至５のいずれか１項に記載の撮像装置。
【請求項７】
前記第２の処理情報は、前記外部画像処理装置が、前記基準の画像データに変換する処理に用いたパラメータを記したファイルへのリンク情報を含むことを特徴とする請求項１乃至５のいずれか１項に記載の撮像装置。
【請求項８】
前記画像処理手段は、前記基準の画像データに変換する処理を行うことを特徴とする請求項１乃至４のいずれか１項に記載の撮像装置。
【請求項９】
撮像装置から、画像データと、該画像データを基準の画像データに変換する処理に用いる第１の処理情報を入力する入力手段と、
前記第１の処理情報に基づいて、前記画像データを基準の画像データに変換する変換手段と、
前記変換手段により変換された前記基準の画像データに対して、ユーザからの指示に基づく予め決められた画像処理を行う画像処理手段と、
前記画像処理手段による前記画像処理に用いた第２の処理情報を前記撮像装置に出力する出力手段と
を有することを特徴とする画像処理装置。
【請求項１０】
前記画像処理手段により前記画像処理された前記画像データを表示装置に出力する表示出力手段を更に有することを特徴とする請求項９に記載の画像処理装置。
【請求項１１】
前記出力手段は、前記第２の処理情報が変更されたタイミングで、該変更された第２の処理情報を前記撮像装置に出力することを特徴とする請求項９または１０に記載の画像処理装置。
【請求項１２】
請求項１乃至８のいずれか１項に記載された前記撮像装置により前記記録手段に記録された、前記第１の処理情報と、前記第２の処理情報と、前記画像データとを読み出す読み出し手段と、
前記第２の処理情報に基づいて、前記画像データを基準の画像データに変換する変換手段と、
前記変換手段により変換された前記基準の画像データに前記第１の処理情報に基づいて、前記外部画像処理装置が前記画像データに対して行った前記予め決められた画像処理を行う第１の画像処理手段と、
前記第１の画像処理手段により処理された前記画像データに対して、ユーザからの指示に応じた画像処理を行う第２の画像処理手段と
を有することを特徴とする画像処理装置。
【請求項１３】
前記第２の画像処理手段により処理した前記画像データを表示装置に出力する表示出力手段を更に有することを特徴とする請求項１２に記載の画像処理装置。
【請求項１４】
撮像装置と、第１の画像処理装置と、第２の画像処理装置とからなる画像処理システムであって、
前記撮像装置が、
撮影を行って画像データを出力する撮像手段と、
前記画像データを画像処理する第１の画像処理手段と、
前記第１の画像処理装置に、前記画像処理した画像データを出力する第１の出力手段と、
前記第１の画像処理装置が前記画像データに対する予め決められた画像処理に用いた第１の処理情報を入力する第１の入力手段と、
前記第１の処理情報と、前記第１の画像処理手段により前記画像処理された画像データ及び前記画像処理されていない画像データを基準の画像データに変換する処理に用いる第２の処理情報と、前記第１の画像処理手段により前記画像処理された画像データ及び前記画像処理されていない画像データの少なくともいずれか一方とを、互いに関連づけて記録する記録手段とを有し、
前記第１の画像処理装置が、
前記第１の出力手段により出力された前記画像データと、前記第２の処理情報を入力する第２の入力手段と、
前記第２の処理情報に基づいて、前記画像データを基準の画像データに変換する第１の変換手段と、
前記第１の変換手段により変換された前記基準の画像データに対して、ユーザからの指示に基づく前記予め決められた画像処理を行う第２の画像処理手段と、
前記第２の画像処理手段による画像処理に用いた第１の処理情報を前記撮像装置に出力する第２の出力手段とを有し、
前記第２の画像処理装置が、
前記記録手段に記録された、前記第１の処理情報と、前記第２の処理情報と、前記画像データとを読み出す読み出し手段と、
前記第２の処理情報に基づいて、前記画像データを基準の画像データに変換する第２の変換手段と、
前記第２の変換手段により変換された前記基準の画像データに前記第１の処理情報に基づいて、前記第１の画像処理装置が前記画像データに対して行った前記予め決められた画像処理を行う第３の画像処理手段と、
前記第３の画像処理手段により処理された前記画像データに対して、ユーザからの指示に応じた画像処理を行う第４の画像処理手段と
を有することを特徴とする画像処理システム。
【請求項１５】
撮像装置と、第１の画像処理装置と、第２の画像処理装置とからなる画像処理システムであって、
前記撮像装置が、
撮影を行って画像データを出力する撮像手段と、
前記画像データを基準の画像データに変換する第１の変換手段と、
前記第１の画像処理装置に、前記変換した基準の画像データを出力する第１の出力手段と、
前記第１の画像処理装置が前記基準の画像データに対する予め決められた画像処理に用いた第１の処理情報を入力する第１の入力手段と、
前記第１の処理情報と、前記第１の変換手段が用いた第２の処理情報と、前記第１の変換手段により変換された前記基準の画像データ及び変換されていない画像データの少なくともいずれか一方とを、互いに関連づけて記録する記録手段とを有し、
前記第１の画像処理装置が、
前記第１の出力手段により出力された前記画像データを入力する第２の入力手段と、
前記第２の入力手段により入力した画像データに対して、ユーザからの指示に基づく前記予め決められた画像処理を行う第１の画像処理手段と、
前記第１の画像処理手段による前記予め決められた画像処理に用いた第１の処理情報を前記撮像装置に出力する第２の出力手段とを有し、
前記第２の画像処理装置が、
前記記録手段に記録された、前記第１の処理情報と、前記第２の処理情報と、前記画像データとを読み出す読み出し手段と、
前記第２の処理情報に基づいて、前記画像データを基準の画像データに変換する第２の変換手段と、
前記第２の変換手段により変換された前記基準の画像データに前記第１の処理情報に基づいて、前記第１の画像処理装置が前記画像データに対して行った前記予め決められた画像処理を行う第２の画像処理手段と、
前記第２の画像処理手段により処理された前記画像データに対して、ユーザからの指示に応じた画像処理を行う第３の画像処理手段と
を有することを特徴とする画像処理システム。
【請求項１６】
撮影を行って画像データを出力する撮像手段を有する撮像装置の制御方法であって、
画像処理手段が、前記画像データを画像処理する画像処理工程と、
出力手段が、外部画像処理装置に、前記画像処理した画像データを出力する出力工程と、
入力手段が、前記外部画像処理装置が前記画像データに対する予め決められた画像処理に用いた第１の処理情報を入力する入力工程と、
記録手段が、前記第１の処理情報と、前記画像処理工程で前記画像処理された画像データ及び前記画像処理されていない画像データを基準の画像データに変換する処理に用いる第２の処理情報と、前記画像処理工程で前記画像処理された画像データ及び前記画像処理されていない画像データの少なくともいずれか一方とを、互いに関連づけて記録する記録工程と
を有することを特徴とする撮像装置の制御方法。
【請求項１７】
入力手段が、撮像装置から、画像データと、基準の画像データに変換する処理に用いる第１の処理情報を入力する入力工程と、
変換手段が、前記第１の処理情報に基づいて、前記画像データを基準の画像データに変換する変換工程と、
画像処理手段が、前記変換工程で変換された前記基準の画像データに対して、ユーザからの指示に基づく予め決められた画像処理を行う画像処理工程と、
出力手段が、前記画像処理工程で前記画像処理に用いた第２の処理情報を前記撮像装置に出力する出力工程と
を有することを特徴とする画像処理方法。
【請求項１８】
読み出し手段が、請求項１乃至８のいずれか１項に記載された前記撮像装置により前記記録手段に記録された、前記第１の処理情報と、前記第２の処理情報と、前記画像データとを読み出す読み出し工程と、
変換手段が、前記第２の処理情報に基づいて、前記画像データを基準の画像データに変換する変換工程と、
第１の画像処理手段が、前記変換工程で変換された前記基準の画像データに前記第１の処理情報に基づいて、前記外部画像処理装置が前記画像データに対して行った前記予め決められた画像処理を行う第１の画像処理工程と、
第２の画像処理手段が、前記第１の画像処理工程で処理された前記画像データに対して、ユーザからの指示に応じた画像処理を行う第２の画像処理工程と
を有することを特徴とする画像処理方法。
【請求項１９】
撮影を行って画像データを出力する撮像手段を有する撮像装置と、第１の画像処理装置と、第２の画像処理装置とからなる画像処理システムにおける画像処理方法であって、
前記撮像装置において、
第１の画像処理手段が、前記画像データを画像処理する第１の画像処理工程と、
第１の出力手段が、前記第１の画像処理装置に、前記画像処理した画像データを出力する第１の出力工程と、
第１の入力手段が、前記第１の画像処理装置が前記画像データに対する予め決められた画像処理に用いた第１の処理情報を入力する第１の入力工程と、
記録手段が、前記第１の処理情報と、前記第１の画像処理工程で前記画像処理された画像データ及び前記画像処理されていない画像データを基準の画像データに変換する処理に用いる第２の処理情報と、前記第１の画像処理工程で前記画像処理された画像データ及び前記画像処理されていない画像データの少なくともいずれか一方とを、互いに関連づけて記録する記録工程とを行い、
前記第１の画像処理装置において、
第２の入力手段が、前記第１の出力工程で出力された前記画像データと、前記第２の処理情報を入力する第２の入力工程と、
第１の変換手段が、前記第２の処理情報に基づいて、前記画像データを基準の画像データに変換する第１の変換工程と、
第２の画像処理手段が、前記第１の変換工程で変換された前記基準の画像データに対して、ユーザからの指示に基づく前記予め決められた画像処理を行う第２の画像処理工程と、
第２の出力手段が、前記第２の画像処理工程で前記予め決められた画像処理に用いた第１の処理情報を前記撮像装置に出力する第２の出力工程とを行い、
前記第２の画像処理装置において、
読み出し手段が、前記記録手段に記録された、前記第１の処理情報と、前記第２の処理情報と、前記画像データとを読み出す読み出し工程と、
第２の変換手段が、前記第２の処理情報に基づいて、前記画像データを基準の画像データに変換する第２の変換工程と、
第３の画像処理手段が、前記第２の変換工程で変換された前記基準の画像データに前記第１の処理情報に基づいて、前記第１の画像処理装置が前記画像データに対して行った前記予め決められた画像処理を行う第３の画像処理工程と、
第４の画像処理手段が、前記第３の画像処理工程で処理された前記画像データに対して、ユーザからの指示に応じた画像処理を行う第４の画像処理工程とを行う
ことを特徴とする画像処理システムにおける画像処理方法。
【請求項２０】
撮影を行って画像データを出力する撮像手段を有する撮像装置と、第１の画像処理装置と、第２の画像処理装置とからなる画像処理システムにおける画像処理方法であって、
前記撮像装置において、
第１の変換手段が、前記画像データを基準の画像データに変換する第１の変換工程と、
第１の出力手段が、前記第１の画像処理装置に、前記変換した画像データを出力する第１の出力工程と、
第１の入力手段が、前記第１の画像処理装置が前記画像データに対する予め決められた画像処理に用いた第１の処理情報を入力する第１の入力工程と、
記録手段が、前記第１の処理情報と、前記第１の変換工程で用いた第２の処理情報と、前記第１の変換工程で変換された前記基準の画像データ及び変換されていない画像データの少なくともいずれか一方とを、互いに関連づけて記録する記録工程とを行い、
前記第１の画像処理装置において、
第２の入力手段が、前記第１の出力工程で出力された前記画像データを入力する第２の入力工程と、
第１の画像処理手段が、前記第２の入力工程で入力した画像データに対して、ユーザからの指示に基づく前記予め決められた画像処理を行う第１の画像処理工程と、
第２の出力手段が、前記第１の画像処理工程で前記予め決められた画像処理に用いた第１の処理情報を前記撮像装置に出力する第２の出力工程とを行い、
前記第２の画像処理装置において、
読み出し手段が、前記記録手段に記録された、前記第１の処理情報と、前記第２の処理情報と、前記画像データとを読み出す読み出し工程と、
第２の変換手段が、前記第２の処理情報に基づいて、前記画像データを基準の画像データに変換する第２の変換工程と、
第２の画像処理手段が、前記第２の変換工程で変換された前記基準の画像データに前記第１の処理情報に基づいて、前記第１の画像処理装置が前記画像データに対して行った前記予め決められた画像処理を行う第２の画像処理工程と、
第３の画像処理手段が、前記第２の画像処理工程で処理された前記画像データに対して、ユーザからの指示に応じた画像処理を行う第３の画像処理工程とを行う
ことを特徴とする画像処理システムにおける画像処理方法。
【請求項２１】
コンピュータに、請求項１７または１８に記載の画像処理方法の各工程を実行させるためのプログラム。
【請求項２２】
請求項２１に記載のプログラムを格納したコンピュータが読み取り可能な記憶媒体。
【手続補正８】
【補正対象書類名】図面
【補正対象項目名】図８
【補正方法】変更
【補正の内容】
【図８】
2014107838.tif 000001